(57)【要約】【課題】  ユーザが、現在放送中の所望チャンネルの放送番組の出力を受けながら、これからの放送予定或いは他チャンネルの現時間帯の放送番組内容を知れるようにする。【解決手段】  番組情報１７１を記憶する番組情報記憶域１７０と、ユーザ所望チャンネルに対応するユーザ所望番組の出力と、番組情報の表示とを制御する出力制御手段１８０とが備えられる。番組情報１７１は、二以上の放送番組にそれぞれ対応した二以上の番組データを含んでいる。二以上の番組データの各々は、その番組データに対応する放送番組の放送時間帯と、その放送番組に関する属性とを含んでいる。出力制御手段１８０は、ユーザ所望チャンネルの現放送時間帯よりも後の時間帯についての番組データ、又は、別の放送チャンネルの現放送時間帯以降の番組データを番組情報記憶域から取得し、ユーザ所望番組の出力と一緒に、その取得された番組データの表示を実行する。【選択図】  図１
2006050047.tif 000002
【特許請求の範囲】
【請求項１】
番組情報を記憶する番組情報記憶域と、
複数の放送チャンネルに対応した現在放送中の複数の放送番組のうち、ユーザに選択された放送チャンネルに対応するユーザ所望番組の出力と、前記番組情報の表示とを制御する出力制御手段と
を備え、
前記番組情報は、二以上の放送番組にそれぞれ対応した二以上の番組データを含んでおり、
前記二以上の番組データの各々は、その番組データに対応する放送番組の放送時間帯と、その放送番組に関する属性を表す放送番組属性とを含んでおり、
前記出力制御手段は、
以下の（１）及び（２）の処理、
（１）前記複数の放送チャンネルのうち前記ユーザに選択された放送チャンネルに対応した番組データであって、その放送チャンネルの現放送時間帯よりも後の時間帯についての番組データを、前記番組情報記憶域から取得する処理、
（２）前記複数の放送チャンネルのうち前記ユーザに選択された放送チャンネルとは別の放送チャンネルに対応した番組データであって、その別の放送チャンネルの現放送時間帯以降のうちの少なくとも一つの時間帯についての番組データを、前記番組情報記憶域から取得する処理、
のうちの少なくとも一つの処理の実行し、且つ、
前記ユーザ所望番組の出力と一緒に、前記取得された番組データの表示を実行する、
放送番組出力制御装置。
【請求項２】
前記放送番組出力制御装置は、放送番組を記憶する記憶装置と通信可能であり、
前記出力制御手段は、
放送番組の記録命令を受け、前記記録命令に応答して、前記二以上の番組データの中から表示中の前記番組データを特定し、前記特定された番組データに含まれている放送時間帯及び放送番組属性を用いて、日時がその放送時間帯になった場合にその番組データに対応した放送番組を前記記憶装置に記録する処理が自動的に行われるための処理を実行する、
請求項１記載の放送番組出力制御装置。
【請求項３】
前記放送番組出力制御装置は、現時間帯における或る時点を始端とした時間範囲が表示条件として設定された表示条件データを記憶する表示条件記憶域を更に備え、
前記出力制御手段は、前記表示条件データに設定されている時間範囲と、前記二以上の番組データの各々に含まれている放送時間帯とに基づいて、前記時間範囲に属する後時間帯に対応した番組データを前記番組情報記憶域から特定し、特定された番組データを表示する、
請求項１記載の放送番組出力制御装置。
【請求項４】
前記放送番組は、番組映像を含んだテレビジョン放送番組であり、
前記放送番組出力制御装置は、表示画面を更に備え、
前記出力制御手段は、前記ユーザ所望番組の番組映像を前記表示画面に表示し、且つ、前記表示画面の端又はその近傍に、番組ガイド表示エリアを前記番組映像に重ねて表示し、前記番組ガイド表示エリアに、前記取得した番組データを表示する、
請求項１記載の放送番組出力制御装置。
【請求項５】
前記出力制御手段は、前記取得した番組データの表示が前記番組ガイド表示エリア内に収まるか否かに応じて、前記番組ガイド表示エリア内に前記番組データの表示を前記番組ガイド表示エリアに対して固定する第一の表示方式と、前記番組データを前記番組ガイド表示エリア内でスクロール表示する第二の表示方式とを選択的に切り替える、
請求項４記載の放送番組出力制御装置。
【請求項６】
複数の放送チャンネルに対応した現在放送中の複数の放送番組のうち、ユーザに選択された放送チャンネルに対応するユーザ所望番組を出力するステップと、
以下の（１）及び（２）の処理、
（１）二以上の放送番組の放送時間帯及び放送番組属性をそれぞれ含んだ二以上の番組データの中から、前記複数の放送チャンネルのうち前記ユーザに選択された放送チャンネルに対応した番組データであって、その放送チャンネルの現放送時間帯よりも後の時間帯についての番組データを、前記番組情報記憶域から取得する処理、
（２）前記複数の放送チャンネルのうち前記ユーザに選択された放送チャンネルとは別の放送チャンネルに対応した番組データであって、その別の放送チャンネルの現放送時間帯以降のうちの少なくとも一つの時間帯についての番組データを、前記二以上の番組データの中から取得する処理、
のうちの少なくとも一つの処理の実行するステップと、
前記ユーザ所望番組の出力と一緒に、前記取得された番組データの表示を実行するステップと
を有する放送番組出力制御方法。
【発明の詳細な説明】
【技術分野】
【０００１】
本発明は、放送番組や放送番組情報の出力を制御するための技術に関し、特に、放送番組情報の表示を制御するための技術に関する。
【背景技術】
【０００２】
例えば、放送番組情報として、ＥＰＧ（Electric Program Guide）と呼ばれる電子番組ガイドが知られている。また、放送番組情報の表示を制御する装置として、例えば特許文献１に開示されている受信装置が知られている。その受信装置は、記憶された番組情報に基づいて、複数のチャンネルにそれぞれ対応した複数の現時間帯の番組情報要素を表示し、且つ、ユーザに選択された番組情報要素については、スクロール表示する。
【０００３】
【特許文献１】特開平１１−２９８８６３号公報
【発明の開示】
【発明が解決しようとする課題】
【０００４】
上述した受信装置によれば、ユーザは、現時間帯の番組映像を視聴しながら、現時間帯の番組内容を知ることはできるが、現時間帯の後にはどんな時間帯やどんな番組があるのかについては知ることができない。このような問題点は、地上波デジタル放送、地上波アナログ放送、衛星放送或いは文字放送など、種々の放送において存在し得る。
【０００５】
従って、本発明の目的は、ユーザが、現在放送中の所望チャンネルの放送番組の出力を受けながら、これからの放送予定或いは他チャンネルの現時間帯の放送番組内容を知れるようにすることにある。
【０００６】
本発明の他の目的は、後述の説明から明らかになるであろう。
【課題を解決するための手段】
【０００７】
本発明の第一の側面に従う放送番組出力制御装置は、番組情報を記憶する番組情報記憶域と、複数の放送チャンネルに対応した現在放送中の複数の放送番組のうち、ユーザに選択された放送チャンネルに対応するユーザ所望番組の出力と、前記番組情報の表示とを制御する出力制御手段とを備える。前記番組情報は、二以上の放送番組にそれぞれ対応した二以上の番組データを含んでいる。前記二以上の番組データの各々は、その番組データに対応する放送番組の放送時間帯と、その放送番組に関する属性を表す放送番組属性（例えば番組名）とを含んでいる。前記出力制御手段は、以下の（１）及び（２）の処理、
（１）前記複数の放送チャンネルのうち前記ユーザに選択された放送チャンネルに対応した番組データであって、その放送チャンネルの現放送時間帯よりも後の時間帯についての番組データを、前記番組情報記憶域から取得する処理、
（２）前記複数の放送チャンネルのうち前記ユーザに選択された放送チャンネルとは別の放送チャンネルに対応した番組データであって、その別の放送チャンネルの現放送時間帯以降のうちの少なくとも一つの時間帯についての番組データを、前記番組情報記憶域から取得する処理、
のうちの少なくとも一つの処理の実行し、且つ、前記ユーザ所望番組の出力と一緒に、前記取得された番組データの表示を実行する。
【０００８】
前記放送番組出力制御装置の第一の実施態様では、前記放送番組出力制御装置は、放送番組を記憶する記憶装置と通信可能であり、前記出力制御手段は、放送番組の記録命令を受け、前記記録命令に応答して、前記二以上の番組データの中から表示中の前記番組データを特定し、前記特定された番組データに含まれている放送時間帯及び放送番組属性を用いて、日時がその放送時間帯（例えばそれの開始日時）になった場合にその特定された番組データに対応した放送番組を前記記憶装置に記録する処理が自動的に行われるための処理を実行する。
【０００９】
表示中の番組データが、前記後時間帯の番組データ（以下、後時間帯番組データ）である場合、前記記録命令は、記録予約命令となり、前記出力制御手段が実行する処理は、記録予約処理であっても良い。ここで、「記録予約処理」とは、例えば、前記特定された後時間帯番組データに含まれている放送時間帯及び放送番組属性を用いて、その放送時間帯の開始日時と、その放送番組属性（例えば放送チャンネル識別子）とを含んだ記録予約データを所定の記憶域にセットする処理である。これにより、所定の記憶域にセットされた記録予約データが、放送番組出力制御装置又は記憶装置が備える記録実行部に読み出されて、記録実行部が、日時が前記開始日時になった場合に、前記特定された後時間帯番組データに対応した放送番組を前記記憶装置に記録する処理を自動的に開始することができる。なお、「所定の記憶域」とは、例えば、メモリ等の記憶媒体に設けられた記憶領域のことであり、これは、放送番組出力制御装置又は記憶装置の内部にあっても良い。また、「記憶装置」は、放送番組出力制御装置に備えられていても良い。
【００１０】
前記放送番組出力制御装置の第二の実施態様では、前記放送番組出力制御装置は、現時間帯における或る時点を始端とした時間範囲が表示条件として設定された表示条件データを記憶する表示条件記憶域を更に備える。前記出力制御手段は、前記表示条件データに設定されている時間範囲と、前記二以上の番組データの各々に含まれている放送時間帯とに基づいて、前記時間範囲に属する後時間帯に対応した番組データを前記番組情報記憶域から特定し、特定された番組データを表示する。なお、前記出力制御手段は、その特定された番組データの全てを表示し終えた場合には、再度、その特定された番組データの表示を再開しても良い（すなわち、表示を繰り返し行っても良い）。
【００１１】
前記放送番組出力制御装置の第三の実施態様では、前記放送番組は、番組映像を含んだテレビジョン放送番組である。前記放送番組出力制御装置は、表示画面を更に備え、前記出力制御手段は、前記ユーザ所望番組の番組映像を前記表示画面に表示し、且つ、前記表示画面の端又はその近傍に、番組ガイド表示エリアを前記番組映像に重ねて表示し、前記番組ガイド表示エリアに、前記番組データを表示する。
【００１２】
前記放送番組出力制御装置の第四の実施態様では、前記第三の実施態様において、前記出力制御手段は、前記番組データの表示が前記番組ガイド表示エリア内に収まるか否かに応じて、前記番組ガイド表示エリア内に前記番組データの表示を前記番組ガイド表示エリアに対して固定する第一の表示方式と、前記番組データを前記番組ガイド表示エリア内でスクロール表示する第二の表示方式とを選択的に切り替える。
【００１３】
本発明の第二の側面に従う放送番組出力制御方法は、複数の放送チャンネルに対応した現在放送中の複数の放送番組のうち、ユーザに選択された放送チャンネルに対応するユーザ所望番組を出力するステップと、以下の（１）及び（２）の処理、
（１）二以上の放送番組の放送時間帯及び放送番組属性をそれぞれ含んだ二以上の番組データの中から、前記複数の放送チャンネルのうち前記ユーザに選択された放送チャンネルに対応した番組データであって、その放送チャンネルの現放送時間帯よりも後の時間帯についての番組データを、前記番組情報記憶域から取得する処理、
（２）前記複数の放送チャンネルのうち前記ユーザに選択された放送チャンネルとは別の放送チャンネルに対応した番組データであって、その別の放送チャンネルの現放送時間帯以降のうちの少なくとも一つの時間帯についての番組データを、前記二以上の番組データの中から取得する処理、
のうちの少なくとも一つの処理の実行するステップと、前記ユーザ所望番組の出力と一緒に、前記取得された番組データの表示を実行するステップとを有する。
【発明の効果】
【００１４】
本発明によれば、ユーザは、現在放送中の所望チャンネルの放送番組の出力を受けながら、これからの放送予定或いは他チャンネルの現時間帯の放送番組内容を知ることができる。
【発明を実施するための最良の形態】
【００１５】
本発明に従う放送番組出力制御装置は、テレビジョン放送或いはラジオ放送など、種々の放送で用いることができる。また、その放送番組出力制御装置は、テレビジョン装置、ラジオ装置、録画再生装置など、種々の受信装置に適用することができる。以下、本発明の一実施形態に係る放送番組出力制御装置がテレビジョン装置に適用された場合を例に採り、そのテレビジョン装置について説明する。
【００１６】
図１は、本発明の一実施形態に係る放送番組出力制御装置が適用されたテレビジョン装置の構成例を表すブロック図である。
【００１７】
例えば、デジタル放送信号（例えば、ＭＰＥＧ２形式のトランスポートストリームデータ）が、放送信号アンテナ１１０を介してテレビジョン装置１００で受信される。テレビジョン装置１００は、記憶装置１４０と、表示部１９０と、操作部１９１と、番組情報記憶域１７０と、表示条件情報記憶域１６０と、表示制御部１８０とを備えている。
【００１８】
記憶装置１４０は、デジタルコンテンツ（例えばＭＰＥＧ２形式のデータ）等のデータを記憶する装置であり、例えば、ハードディスクドライブ、ハードディスクレコーダ、ＤＶＤ（Digital Versatile Disk）ドライブ又はＤＶＤレコーダである。記憶装置１４０は、テレビジョン装置１００と通信可能でさえあれば、テレビジョン装置１００の外に配置されていても良い。換言すれば、記憶装置１４０は、テレビジョン装置１００に内蔵されていても外付けされていてもよい。
【００１９】
表示部１９０は、例えば、ＣＲＴ、液晶又はプラズマディスプレイ画面である。
【００２０】
操作部１９１は、テレビジョン装置１００を操作するためのコントローラである。操作部１９１は、例えば、複数のチャンネルのうちのユーザ所望のチャンネルや、表示条件情報１６１に含めたい表示条件などを入力するための複数のボタンを備えており、押されたボタンに基づく信号をテレビジョン装置１００に送る。
【００２１】
番組情報記憶域１７０は、記憶媒体（例えばメモリ）上に設けられた記憶領域である。番組情報記憶域１７０には、番組情報１７１が記憶される。番組情報１７１は、放送番組に関する情報であり、例えば、ＥＰＧ（Electric Program Guide）である。番組情報１７１は、複数の番組データを含んでいる。複数の番組データの各々は、一つの放送番組に関する内容を表しており、例えば、放送時間帯を表す時間帯データという番組情報要素と、その放送番組に関する属性を表す番組属性データとを含んでいる。番組属性データには、例えば、以下の（１）乃至（４）の番組情報要素、
（１）放送番組に対応したチャンネルのチャンネル識別子（例えば、チャンネル番号、チャンネル名又は周波数）、
（２）番組名を表す番組名データ、
（３）番組ジャンルを表す番組ジャンルデータ、
（４）番組の詳細内容を表す詳細情報、
が含まれている。すなわち、一つの番組データには、一つの放送番組に対応した複数種類の番組情報要素のうちの少なくとも一種類の番組情報要素が含まれている。図１の例では、表示部１９０の表示画面１９２の後述する番組ガイドエリア１９４には、表示対象チャンネル１に対応した時間帯データ（現時刻１１：４５よりも後の時間帯を表す時間帯データ）が表す時間帯と、表示対象チャンネル１に対応した番組名データが表す番組名とが表示される。なお、番組情報１７１に含まれる各番組情報要素は、放送信号アンテナ１１０を介して受信された放送信号から抽出されたものであっても良いし、通信ネットワーク（例えばインターネット）又は可搬型記憶媒体（例えばカード型メモリ）を介してテレビジョン装置１００に入力されたものであっても良い。
【００２２】
表示条件情報記憶域１６０は、番組情報記憶域１７０が設けられた記憶媒体（例えばメモリ）と同一の又は別の記憶媒体に設けられた記憶領域である。表示条件情報記憶域１６０には、表示条件情報１６１が記憶される。表示条件情報１６１は、一以上の表示条件データを含んだ情報である。複数の表示条件データの各々は、操作部１９１から入力された表示条件を表すデータである。各表示条件データは、通信ネットワーク（例えばインターネット）又は可搬型記憶媒体（例えばカード型メモリ）を介してテレビジョン装置１００に入力されたものであっても良いし、操作部１９１から入力されたものであっても良い。入力可能な表示条件としては、例えば、以下の（Ａ）乃至（Ｋ）、
（Ａ）表示方式（例えば、スクロール表示及び間欠切替表示のうちのいずれか一つ）、
（Ｂ）該当チャンネル（例えば、全てのチャンネル、予めユーザが指定した特定のチャンネル、及び表示対象として選択中のチャンネルのみ、のうちのいずれか一つ）、
（Ｃ）放送メディア（例えば、ＢＳ、ＣＳ、地上波デジタル及び地上波アナログのうちのいずれか一つ）
（Ｄ）現在時刻（又はそれを含んだ現時間帯の終端）からどこまでの範囲に属する時間帯が番組情報要素の表示対象になるかを意味する時間範囲（例えば、時間単位、日数単位、又は週単位で選択可能）
（Ｅ）表示対象の番組情報要素の種類（例えば、時間帯、番組名、番組ジャンル及び番組内容（換言すれば詳細情報）のうちの少なくとも一つ）
（Ｆ）表示画面のどこに番組情報要素を表示するかを表す表示位置（例えば、下端、左下隅、左端、左上隅、上端、右上隅、右端、又は右下隅）、
（Ｇ）表示範囲（例えば、横サイズは表示画面の横幅、縦サイズは２ｃｍ）、
（Ｈ）番組情報要素の表示時の文字サイズ（例えば、大、中、小のうちのいずれか一つ）、
（Ｉ）放送番組映像と番組情報要素のどちらを優先するか、
（Ｊ）表示位置を番組属性に応じて自動的に切替えても良いか否か、
（Ｋ）複数の映像表示サブ画面（例えば、音声出力される正画面と、音性出力されない副画面）のうちのどの映像表示サブ画面についての番組情報要素を表示するか、
のうちの少なくとも一つを採用することができる。これら複数種類の表示条件のうちの少なくとも一種類は、所定の設定値範囲内でユーザが自由に決める方式で設定されても良いし、予め用意された複数の選択肢の中から少なくとも一つの選択肢をユーザが選択する方式で設定されても良い。また、複数の表示条件データの中には、予め用意された表示条件データであって、ユーザによって設定変更不可能なデータが含まれていても良い。
【００２３】
表示制御部１８０は、表示部１９０に映像を表示する表示処理の制御を行う。表示制御部１８０は、例えば、放送信号アンテナ１１０から放送信号を受信しユーザ所望のチャンネルの信号を選局するチューナや、チューナから出力された信号を受信し特定の信号処理を行って出力するデマルチプレクサや、デマルチプレクサから出力された信号（例えば、ＭＰＥＧ２方式により圧縮されている映像・音声信号）の復号化処理を行なって表示部１９０へ出力するデコーダや、チューナやデマルチプレクサ等の動作を制御するＣＰＵなどを備える。表示制御部１８０は、具体的には、例えば、以下の（１）乃至（６）の処理、
（１）放送信号アンテナ１００を介して受信された多重化信号（例えばトランスポートストリームデータ）から、操作部１９１から指定された録画対象チャンネル（録画対象として選択されているチャンネル）に対応した信号を選択し、その選択された信号（例えばトランスポートストリーム形式の信号）又はその信号が別の形式に変換されたもの（例えばプログラムストリーム形式の信号）を、記憶装置１４０に格納する処理、
（２）放送信号アンテナ１００を介して受信された多重化信号から、操作部１９１から指定された表示対象チャンネル（表示対象として選択されているチャンネル）に対応した信号を選択し、その選択された信号が表す映像を表示部１９０に表示する処理、
（３）（２）の処理に加えて、現在時刻及び表示対象チャンネルを検出し、検出された現在時刻及び表示対象チャンネルに基づいて、番組情報記憶域１７０に記憶されている番組情報１７１から、表示対象チャンネルに対応した現時間帯（検出された現在時刻を含む時間帯）とその後の時間帯（以下、「後時間帯」と言う）とを判別し、判別された後時間帯に関する番組情報要素を抽出し、抽出された番組情報要素を、上記映像と一緒に表示する処理、
（４）（３）の処理において、番組情報要素を取得する際、後時間帯に関する番組情報要素であって、表示条件情報１６１中の各表示条件データが表す各表示条件を満たす番組情報要素を番組情報１７１から検索し、検索された番組情報要素を抽出する処理、
（５）放送信号アンテナ１１０を介して受信した多重化信号に含まれている番組情報要素を抽出し、抽出された番組情報要素を番組情報記憶域１７０に書き込むことで、番組情報１７１を更新する処理、
（６）操作部１９１から表示条件を受け、受けた表示条件を表示条件情報記憶域１６０に蓄積することで、表示条件情報１６１を更新する処理、
の少なくとも一つの処理を実行する。更に具体的に説明すれば、例えば、表示制御部１８０は、（３）の処理では、表示部１９０の表示画面１９２に、操作部１９１から指定されたチャンネルの現時間帯の番組映像１９３を表示し、更に、その番組映像１９３に重ねて、番組ガイドエリア１９４を表示し、そのエリア１９４内に、後時間帯に関する番組情報要素であって、番組情報１７１から抽出された番組情報要素を表示する。また、その際、表示制御部１８０は、番組ガイドエリア１９４を透過率０〜１００％（例えば４０％〜６０％）のカラーで塗りつぶす。
【００２４】
以下、表示制御部１８０が行う処理についてより具体的に説明する。
【００２５】
図２は、表示制御部１８０が行う処理のフローチャートの一例である。
【００２６】
表示制御部１８０は、起動した以後（例えば電源投入時以後）、番組情報要素を表示するモードを実行するか否かを判断する（ステップＳ１０）。例えば、表示制御部１８０は、番組情報要素の表示モードの実行を操作部１９１から命じられた場合に、番組情報要素表示モードの実行を表すフラグ（以下、表示モード実行フラグ）をメモリ（図示せず）にセットし、操作部１９１からその表示モードの実行の解除を命じられた場合に、表示モード実行フラグを解除することで、番組情報要素の表示モードの実行中か否かをセットすることができる。Ｓ１０では、表示制御部１８０は、表示モード実行フラグがメモリにセットされているか否かを検出することにより、実行することができる（この方法とは別の方法でＳ１０の判断が行われても良い）。
【００２７】
Ｓ１０の結果、番組情報要素の表示モードの実行中では無いと判断された場合（Ｓ１０でＮＯ）、表示制御部１８０は、通常表示の処理、すなわち、表示対象として選択中のチャンネルに対応した番組映像を表示部１９０に表示し、番組情報要素の表示は行わない処理を実行する（Ｓ２０）。
【００２８】
一方、Ｓ１０の結果、番組情報要素の表示モードの実行中であると判断された場合（Ｓ１０でＹＥＳ）、表示制御部１８０は、表示条件情報１６１が表示条件情報記憶域１６０に記憶されているか否かを判断する（Ｓ３０）。
【００２９】
Ｓ３０の結果、表示条件情報１６１が記憶されていないと判断された場合（Ｓ３０でＮＯ）、表示制御部１８０は、表示対象として選択中のチャンネルに対応した番組映像１９３と一緒に、所定の方法で番組情報要素の表示を行う（Ｓ４０）。例えば、表示制御部１８０は、表示対象チャンネルの番組映像１９３に重ねて、表示画面１９２の下端全域に番組ガイドエリア１９４を表示し、そのエリア１９４内に、表示対象チャンネルの後時間帯に関する番組情報要素をスクロール表示する。もし、表示対象チャンネルが別のチャンネルに切り替えられた場合には、例えば、表示制御部１８０は、切替後の表示対象チャンネルの後時間帯に関する番組情報要素を番組情報記憶域１７０から検索して抽出し、抽出された番組情報要素を番組ガイドエリア１９４にスクロール表示しても良いし、又は、番組情報要素の表示を解除しても良い。
【００３０】
一方、Ｓ３０の結果、表示条件情報１６１が記憶されていると判断された場合（Ｓ３０でＹＥＳ）、表示制御部１８０は、表示対象として選択中のチャンネルに対応した番組映像１９３を表示部１９０に表示し、且つ、表示条件情報１６１中の各表示条件データが表す表示条件に従う方法で番組情報要素の表示を行う（Ｓ５０）。以下、このＳ５０で行われ得る処理と、その処理によって表示画面１９２にどのような表示が行われるかについて説明する。
【００３１】
表示制御部１８０は、表示条件として表示方式「スクロール表示」が設定された表示条件データを検出した場合、図３Ａ〜図３Ｄに表示するように、表示ガイドエリア１９４に、番組情報要素をスクロール表示する。なお、その際、表示制御部１８０は、図３Ａ〜図３Ｃに示すように、或る後時間帯に関する番組情報要素（例えば時間帯と番組名）のスクロール表示が完全に終わった後に、図３Ｄに示すように、別の後時間帯に関する番組情報要素のスクロール表示を開始しても良いし、或る後時間帯に関する番組情報要素と別の後時間帯に関する番組情報要素とを連続的にスクロール表示させても良い。
【００３２】
また、表示制御部１８０は、表示条件として表示方式「間欠切替表示」が設定された表示条件データを検出した場合、図４Ａ〜図４Ｃに表示するように、表示ガイドエリア１９４に対する番組情報要素の表示を間欠的に切替える。すなわち、表示制御部１８０は、図４Ａに示すように、或る後時間帯に関する番組情報要素を抽出し一定時間表示し続けたら、図４Ｂに示すように、その番組情報要素の表示を止め、その次に、図４Ｃに示すように、別の時間帯に関する番組情報要素を抽出し表示する。なお、表示し続ける時間長も、表示条件の一つとして、ユーザが操作部１９１等を使用して変更できるようになっていても良い。また、表示制御部１８０は、番組ガイドエリア１９４内に番組情報要素を表示し切れないことを検出した場合には、表示方式を間欠切替表示からスクロール表示に自動的に切替えてもよい。
【００３３】
また、表示制御部１８０は、表示条件として複数の該当チャンネルが設定された表示条件データを検出した場合、それら複数の該当チャンネルの各々の後時間帯に関する番組情報要素を表示する。図５Ａ〜図５Ｄに、スクロール表示する際の、複数の該当チャンネルに関する番組情報要素の表示例を示す。その表示例によれば、表示制御部１８０は、番組情報要素を表示する際は、どのチャンネルに関する番組情報要素かをユーザが理解できるように、後時間帯と番組名の他に、チャンネル番号も表示する。また、表示制御部１８０は、表示対象チャンネルとは別のチャンネルについては、その別のチャンネルのチャンネル識別子を検索キーに、現時間帯の番組情報要素を番組情報１７１から検索し、検索された番組情報要素を表示しても良い。これにより、ユーザは、表示対象チャンネルに対応した番組映像を見ながら、別のチャンネルで現在どんな番組が放送されているかを知ることができる。
【００３４】
また、表示制御部１８０は、表示条件として該当チャンネル「表示対象チャンネルのみ」が設定された表示条件データを検出した場合、表示対象チャンネルの後時間帯に関する番組情報要素を抽出し表示する。その場合、例えば、表示制御部１８０は、番組情報要素としてチャンネル番号を表示してもしなくても良い。
【００３５】
また、表示制御部１８０は、第一の放送メディアが設定された表示条件データを検出した場合、その第一の放送メディアの後時間帯に関する番組情報要素を表示する。例えば、表示制御部１８０は、第一の放送メディアの番組映像を表示している場合は、その第一の放送メディアの後時間帯に関する番組情報要素を抽出し表示するが、操作部１９１からの命令により第二の放送メディアに受信が切り替えられた場合、番組情報要素の表示を行わないようにする。なお、この場合、番組情報１７１が、放送メディア毎に用意されていても良いし、番組情報１７１中に、番組情報要素として放送メディアに関するデータが含まれていても良い。
【００３６】
また、表示制御部１８０は、或る時間範囲が設定された表示条件データを検出した場合、その時間範囲内における後時間帯に関する番組情報要素を抽出し表示する。その際、例えば、表示制御部１８０は、その時間範囲における全ての後時間帯に関して番組情報要素を表示し終えた場合には、その処理を初めからやり直ししても良いし、現時間帯が次の時間帯に移るまで、或いは、表示対象チャンネルが切り替えられるまで、番組情報要素の表示を行わなくても良い。
【００３７】
また、表示制御部１８０は、番組情報要素の種類が設定された表示条件データを検出した場合、或る後時間帯に関する複数種類の番組情報要素のうち、その種類に対応した番組情報要素を選択して表示するようにする。
【００３８】
また、表示制御部１８０は、表示位置が設定された表示条件データを検出した場合、表示画面１９２上のその表示位置に番組ガイドエリア１９４を表示する。例えば、表示制御部１８０は、その設定された表示位置が「下端」である場合、図６Ａに示すように、表示画面１９２の下端に番組ガイドエリア１９４を設ける。また、例えば、表示制御部１８０は、その設定された表示位置が「上端」である場合、図６Ｂに示すように、表示画面１９２の上端に番組ガイドエリア１９４を設ける。また、例えば、表示制御部１８０は、その設定された表示位置が「左下端」である場合、図６Ｃに示すように、表示画面１９２の左下端に番組ガイドエリア１９４を設ける。なお、番組ガイドエリア１９４の縦サイズ及び横サイズの少なくとも一つは、表示条件「表示範囲」によって変更可能であるが、変更不可能な固定値であっても良い。
【００３９】
また、表示制御部１８０は、番組情報要素よりも放送番組映像を優先することを意味する表示条件が設定された表示条件データを検出した場合、番組情報要素よりも放送番組映像１９３を優先的に表示する（例えば、図７Ａに示すように、放送番組映像１９３の表示範囲を縮小せず、その映像１９３に、半透明の又は完全に透明の番組ガイドエリア１９４を重ねる）。また、表示制御部１８０は、放送番組映像よりも番組情報要素を優先することを意味する表示条件が設定された表示条件データを検出した場合、放送番組映像１９３よりも番組情報要素を優先的に表示する（例えば、図７Ｂに示すように、番組ガイドエリア１９４に重ならないように放送番組映像１９３の表示範囲を縮小する）。なお、その際、もし、図７Ｂに示すような空き領域１９５ができた場合には、その空き領域１９５に、表示中の放送番組映像９３に対応した番組情報要素（例えば詳細内容）か、或いは、番組ガイドエリア１９４に表示中の番組情報要素に対応した詳細内容が表示されても良い。
【００４０】
また、表示制御部１８０は、番組情報要素の表示位置を番組属性に応じて自動的に切替えても良いという表示条件が設定された表示条件データを検出した場合、表示中の放送番組映像１９３の番組属性（例えば番組ジャンル）に応じて、番組ガイドエリア１９４の表示位置を第一の位置から第二の位置に切り替える（例えば上端から下端又は下端から上端に切り替える）。また、表示条件として、上記（Ｊ）に代えて又は加えて、どの番組ジャンルの場合にはどの表示位置に番組情報要素を表示するかの表示条件があっても良い。その場合、表示制御部１８０は、表示対象チャンネルの放送信号に含まれている番組ジャンルデータを検出する等の方法により、表示対象チャンネルに対応した放送番組の番組ジャンルを把握し、把握された番組ジャンルに対応した表示位置を表示条件データから特定して、その放送番組の後時間帯番組情報要素を、特定された表示位置に表示することができる。
【００４１】
また、表示制御部１８０は、複数の表示サブ画面として、例えば、図８に例示するように、音声出力される正画面１９２Ｐと、音性出力されない副画面１９２Ｓとを表示画面１９２に表示する場合、正画面１９２Ｐと副画面１９２Ｓの一方又は両方に、番組ガイドエリア１９４Ｐ、１９４Ｓを設けることができる。その際、表示制御部１８０は、正画面１９２Ｐと副画面１９２Ｓの番組情報要素の表示方法を、別々に制御しても良いし、一方の画面（例えば１９２Ｐ）での表示方法と同一の表示方法を他方の画面（例えば１９２Ｓ）で実行してもよい。また、表示条件が、複数の表示サブ画面の各々について設定されていれば、各表示サブ画面の表示条件に従って、番組情報要素の表示制御が行われても良い。なお、説明が後になったが、複数の表示サブ画面では、表示対象チャンネルを別々のものとすることができる。例えば、正画面１９２Ｐの表示対象チャンネルとしてチャンネル１が設定された場合、表示制御部１８０は、図８に示すように、正画面１９２Ｐにチャンネル１の番組映像を表示し、副画面１９２Ｓの表示対象チャンネルとしてチャンネル４が設定された場合、副画面１９２Ｓにチャンネル４の番組映像を表示する。
【００４２】
以上、上述した実施形態によれば、放送番組映像１９３と一緒に、その番組映像１９３が放送されている現時間帯よりも後の時間帯に関する番組情報要素が表示される。これにより、ユーザは、所望の番組映像１９３を視聴しながら、これからの放送予定を知ることができる。
【００４３】
ところで、上述した実施形態では、以下のような変形例を実行することで、ユーザフレンドリーな番組録画予約を実行することができる。
【００４４】
図９は、本発明の一実施形態の変形例において表示制御部１８０が行う録画予約処理のフローチャートの一例である。
【００４５】
図示しないが、操作部（例えばリモートコントローラ）１９１に、録画予約実行ボタンが設けられている。ユーザは、所望のチャンネルの所望の後時間帯に関する番組情報要素が表示されている最中に録画予約実行ボタンを押す。録画予約ボタンが押されると、操作部１９１からそれに応じた信号がテレビジョン装置１００に通知される。
【００４６】
表示制御部１８０は、操作部１９１からの信号から録画予約実行ボタンが押されたことを検出した場合（Ｓ８１でＹＥＳ）、現在表示中の番組情報要素に対応するチャンネル識別子及び後時間帯データを特定する（Ｓ８２）。これは、例えば、表示制御部１８０が、抽出し表示中の番組情報要素に対して番組情報記憶域１７０中にフラグをセットしておくことで、複数の番組情報要素のうちどれが現在表示中のものかを特定することができる。
【００４７】
その後、表示制御部１８０は、特定されたチャンネル識別子及び後時間帯データを含んだ録画予約データを生成し（Ｓ８３）、その録画予約データを記憶装置１４０にセットする。
【００４８】
以上の流れにより、表示中の番組情報要素に従う録画予約が完了する。記憶装置１４０は、現在時刻が、録画予約データ中の後時間帯データが表す後時間帯の始端になったことを検出した場合、その録画予約データ中のチャンネル識別子から特定されるチャンネルの番組を録画し始める。
【００４９】
なお、以上の処理において、もし、番組ガイドエリア１９４内に複数の後時間帯に関する番組情報要素が表示されている場合には、それら複数の後時間帯のうち初めに表示された後時間帯について録画予約データが生成されても良いし、最後に表示された後時間帯について録画予約データが生成されても良い。また、複数の後時間帯のうちのどの時間帯が採用されるかは、一つの表示条件として設定されても良い。また、例えば正画面１９２Ｐと副画面１９２Ｓの両方に番組情報要素が表示されている最中に、録画予約命令を操作部１９１から受けた場合、表示制御部１８０は、正画面１９２Ｐに表示されている番組情報要素を用いて録画予約データを生成しても良いし、副画面１９２Ｓに表示されている番組情報要素を用いて録画予約データを生成しても良い。
【００５０】
以上、本発明の一実施形態やその実施形態における変形例を説明したが、本発明の範囲はそれらに限定されない。当業者であれば、本発明の範囲内で構成の追加や削除、変更等を行うことができる。例えば、図示のフローチャートは、発明の理解及び実施を損なわないように、処理の流れを端的に示したものに過ぎないから、当業者であれば、ステップの入れ替えや削除、変更等を容易に行うことができる。また、例えば、番組エリアガイド１９４の数は二以上であってもよく（例えば表示画面１９２の上端と下端の両方に設けられても良く）、二以上の番組エリアガイド１９４の各々に、異なる内容の番組情報要素が表示されても良い。また、番組エリアガイド１９４内の透明度もユーザが自由に設定できても良い。また、例えば、現時間帯の直後の後時間帯については、後時間帯に代えて、放送時間長が表示されても良い。また、表示画面１９２が複数個備えられている場合には、或る画面に放送番組映像が表示され、別の画面に番組情報要素が表示されても良い。また、番組情報要素を表示するか否か、或いはどんな番組情報要素を表示するかは、操作部１９１を使用するユーザの操作に応じて動的に切り替えられても良い。また、表示制御部１８０は、複数の後時間帯にそれぞれ対応した複数の番組データのうち、現時間帯の直後の後時間帯の番組データの表示回数を、それよりも更に後の後時間帯の番組データよりも多くしても良い。
【図面の簡単な説明】
【００５１】
【図１】本発明の一実施形態に係る放送番組出力制御装置が適用されたテレビジョン装置の構成例を表すブロック図。
【図２】表示制御部１８０が行う処理のフローチャートの一例。
【図３】後時間帯に関する番組情報要素のスクロール表示の説明図。
【図４】後時間帯に関する番組情報要素の間欠切替表示の説明図。
【図５】複数のチャンネルの後時間帯に関する番組情報要素の表示の説明図。
【図６】番組情報要素の表示位置のバリエーション例の説明図。
【図７】図７Ａは、番組情報要素よりも放送番組映像を優先して表示した場合の表示画面の一例を示す図。図７Ｂは、放送番組映像よりも番組情報要素を優先して表示した場合の表示画面の一例を示す図。
【図８】表示画面１９２に複数の表示サブ画面が設けられた場合の番組情報要素の表示態様の一例を示す図。
【図９】本発明の一実施形態の変形例において表示制御部１８０が行う録画予約処理のフローチャートの一例。
【符号の説明】
【００５２】
１００…テレビジョン装置  １４０…記憶装置  １６１…表示条件情報  １７１…番組情報  １８０…表示制御部  １９０…表示部  １９１…操作部  １９２…表示画面  １９４…番組ガイドエリア
【図２】
2006050047.tif 000003
【図９】
2006050047.tif 000004
【図１】
2006050047.tif 000005
【図３】
2006050047.tif 000006
【図４】
2006050047.tif 000007
【図５】
2006050047.tif 000008
【図６】
2006050047.tif 000009
【図７】
2006050047.tif 000010
【図８】
2006050047.tif 000011